【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
対象の皮膚の美容外観を改善する方法における使用のための低温スラリーであって、前記方法が、
送達デバイスから対象の皮膚の下の標的組織へ前記低温スラリーを送達すること
を含む、低温スラリー。
【請求項２】
前記標的組織が、結合組織、脂肪組織、およびこれらの組合せのうちのいずれか１つを含み、
前記低温スラリーが、前記標的組織を冷却し、皮膚を引き締める応答を誘発して、皮膚の皺および小皺の外観を低減する、請求項１に記載の低温スラリー。
【請求項３】
前記標的組織が、筋肉、筋肉を支配する神経、および筋肉と筋肉を支配する神経との組合せからなる群から選択され、
前記低温スラリーが、前記筋肉、神経または組合せを冷却し、前記筋肉の収縮を一時的に阻害して、前記筋肉の収縮に関連する皮膚の皺および小皺の外観を低減する、請求項１に記載の低温スラリー。
【請求項４】
前記標的組織が、皮脂腺、皮脂腺を支配する神経、ならびに皮脂腺と皮脂腺を支配する神経との組合せからなる群から選択され、
前記低温スラリーが、前記皮脂腺、神経または組合せを冷却し、ざ瘡を生じさせる前記皮脂腺の活性を低減する、請求項１に記載の低温スラリー。
【請求項５】
前記標的組織が、くぼみのある外観を有するセルライト中の脂肪組織であり、
前記低温スラリーが、前記脂肪組織を冷却し、アポトーシスを誘発し、それによって前記くぼみのある外観を低減する、請求項１に記載の低温スラリー。
【請求項６】
前記標的組織が、くぼみのある外観を有するセルライト中の垂直線維組織ストランドであり、
前記低温スラリーが、前記垂直線維組織ストランドを破壊し、それによって前記くぼみのある外観を低減する、請求項１に記載の低温スラリー。
【請求項７】
前記低温スラリーを送達することが、前記低温スラリーを、前記標的組織に隣接する組織に送達することを含む、請求項１に記載の低温スラリー。
【請求項８】
前記送達デバイスが、カニューレを備え、
前記低温スラリーを送達することが、前記カニューレを前記対象の皮膚に貫通させることと、前記カニューレを、結合組織に通して前記結合組織の下の脂肪組織まで進ませることと、前記低温スラリーを前記カニューレに通して前記脂肪組織に送達することとを含む、請求項１に記載の低温スラリー。
【請求項９】
前記送達デバイスが、カニューレを備え、
前記低温スラリーを送達することが、前記カニューレを前記対象の皮膚に貫通させることと、前記カニューレを、前記皮膚の下の結合組織まで進ませることと、前記低温スラリーを前記結合組織に送達することとを含む、請求項１に記載の低温スラリー。
【請求項１０】
前記低温スラリーを送達することが、前記低温スラリーを、前記対象の横腹、腹部、大腿部、上腕、および顎の下のオトガイ下区域の周囲からなる群から選択される１つまたは複数の区域中の組織へ送達することを含む、請求項１に記載の低温スラリー。
【請求項１１】
前記低温スラリーが、水、塩およびグリセロールを含む、請求項１に記載の低温スラリー。
【請求項１２】
前記低温スラリーが、０．１％から約２０％のグリセロールと、０．１％から約２０％の塩とを含む、請求項１に記載の低温スラリー。
【請求項１３】
前記低温スラリーが、約＋１０℃、約＋７℃、約＋５℃、約＋４℃、約＋３℃、約＋２℃、約＋１℃、約０℃、約−１℃、約−２℃、約−３℃、約−４℃、約−５℃、約−１０℃、約−１５℃、約−２０℃、約−３０℃、約−４０℃、および約−５０℃からなる群から選択される平均温度を有する、請求項１に記載の低温スラリー。
【請求項１４】
前記低温スラリーが、直径が約１ｍｍから約０．０１ｍｍの球形または丸形の氷粒子を含む、請求項１に記載の低温スラリー。
【請求項１５】
前記低温スラリーが、約２％〜約７５％の氷含量を含む、請求項１に記載の低温スラリー。
【請求項１６】
前記低温スラリーを送達することが、前記内腔中に少なくとも部分的に配置されたプランジャーを使用して、前記送達デバイスから前記流体を射出することを含む、請求項８に記載の低温スラリー。
【請求項１７】
前記送達デバイスが、
注射液を含有する第１のコンパートメント、
第２のコンパートメント、および
冷却液を含む第３のコンパートメント
を備えるスラリー生成チャンバを含み、
前記冷却液を前記第３のコンパートメントから前記第２のコンパートメントへ放出させて、前記第１のコンパートメント中の前記注射液を囲みかつ冷却して、前記低温スラリーを生成すること
をさらに含む、請求項１に記載の低温スラリー。
【請求項１８】
攪拌器をさらに含み、前記スラリー生成チャンバに攪拌をもたらすことをさらに含む、請求項１７に記載の低温スラリー。
【請求項１９】
前記送達デバイスが注射器であり、
前記低温スラリーを送達することが、前記注射器を前記対象の皮膚に通して貫通させることと、前記注射器を、結合組織に通して前記結合組織の下の脂肪組織へ進ませることと、前記低温スラリーを前記脂肪組織へ送達することとを含む、請求項１に記載の低温スラリー。
【請求項２０】
前記送達デバイスが注射器であり、
前記低温スラリーを送達することが、前記注射器を前記対象の皮膚に通して貫通させることと、前記注射器を前記皮膚の下の前記結合組織まで進ませることと、前記低温スラリーを前記結合組織へ送達することとを含む、請求項１に記載の低温スラリー。
【手続補正２】
【補正対象書類名】明細書
【補正対象項目名】００１６
【補正方法】変更
【補正の内容】
【００１６】
ある特定の他の実施形態において、本発明は、上記の方法とは異なる、対象の皮膚の美容外観を改善する別の方法を提供する。方法は、注射液を含有する第１のコンパートメント、第２のコンパートメント、および冷却液を含む第３のコンパートメントを備えるスラリー生成チャンバを提供することを含む。方法は、冷却液を第３のコンパートメントから第２のコンパートメントへ放出させて、第１のコンパートメント中の注射液を囲みかつ冷却して、低温スラリーを生成することをさらに含む。方法は、スラリー生成チャンバを使用して生成された低温スラリーを、送達デバイスを使用して、対象の皮膚の下の標的組織へ送達し、それによって標的組織を冷却することをさらに含む。方法はまた、スラリー生成チャンバに攪拌をもたらすことも含んでよい。
本発明の実施形態において、例えば以下の項目が提供される。
（項目１）
対象の皮膚の美容外観を改善する方法であって、
送達デバイスから対象の皮膚の下の標的組織へ低温スラリーを送達することによって、前記標的組織を冷却すること
を含む、方法。
（項目２）
前記標的組織が、結合組織、脂肪組織、およびこれらの組合せのうちのいずれか１つを含み、
前記低温スラリーによる前記標的組織の冷却が、皮膚を引き締める応答を誘発して、皮膚の皺および小皺の外観を低減する、項目１に記載の方法。
（項目３）
前記標的組織が、筋肉、筋肉を支配する神経、および筋肉と筋肉を支配する神経との組合せからなる群から選択され、
前記筋肉、神経または組合せを前記低温スラリーで冷却することが、前記筋肉の収縮を一時的に阻害して、前記筋肉の収縮に関連する皮膚の皺および小皺の外観を低減する、項目１に記載の方法。
（項目４）
前記標的組織が、皮脂腺、皮脂腺を支配する神経、ならびに皮脂腺と皮脂腺を支配する神経との組合せからなる群から選択され、
前記皮脂腺、神経または組合せを前記低温スラリーで冷却することが、ざ瘡を生じさせる前記皮脂腺の活性を低減する、項目１に記載の方法。
（項目５）
前記標的組織が、くぼみのある外観を有するセルライト中の脂肪組織であり、
前記脂肪組織を前記低温スラリーで冷却することが、アポトーシスを誘発し、それによって前記くぼみのある外観を低減する、項目１に記載の方法。
（項目６）
前記標的組織が、くぼみのある外観を有するセルライト中の垂直線維組織ストランドであり、
前記垂直線維組織ストランドを前記低温スラリーで冷却することが、前記垂直線維組織ストランドを破壊し、それによって前記くぼみのある外観を低減する、項目１に記載の方法。
（項目７）
前記低温スラリーを送達することが、前記低温スラリーを、前記標的組織に隣接する組織に送達することを含む、項目１に記載の方法。
（項目８）
前記送達デバイスが、カニューレを備え、
前記低温スラリーを送達することが、前記カニューレを前記対象の皮膚に貫通させることと、前記カニューレを、結合組織に通して前記結合組織の下の脂肪組織まで進ませることと、前記低温スラリーを前記カニューレに通して前記脂肪組織に送達することとを含む、項目１に記載の方法。
（項目９）
前記送達デバイスが、カニューレを備え、
前記低温スラリーを送達することが、前記カニューレを前記対象の皮膚に貫通させることと、前記カニューレを、前記皮膚の下の結合組織まで進ませることと、前記低温スラリーを前記結合組織に送達することとを含む、項目１に記載の方法。
（項目１０）
前記低温スラリーを送達することが、前記低温スラリーを、前記対象の横腹、腹部、大腿部、上腕、および顎の下のオトガイ下区域の周囲からなる群から選択される１つまたは複数の区域中の組織へ送達することを含む、項目１に記載の方法。
（項目１１）
前記低温スラリーが、水、塩およびグリセロールを含む、項目１に記載の方法。
（項目１２）
前記低温スラリーが、０．１％から約２０％のグリセロールと、０．１％から約２０％の塩とを含む、項目１に記載の方法。
（項目１３）
前記低温スラリーが、約＋１０℃、約＋７℃、約＋５℃、約＋４℃、約＋３℃、約＋２℃、約＋１℃、約０℃、約−１℃、約−２℃、約−３℃、約−４℃、約−５℃、約−１０℃、約−１５℃、約−２０℃、約−３０℃、約−４０℃、および約−５０℃からなる群から選択される平均温度を有する、項目１に記載の方法。
（項目１４）
前記低温スラリーが、直径が約１ｍｍから約０．０１ｍｍの球形または丸形の氷粒子を含む、項目１に記載の方法。
（項目１５）
前記送達デバイスが、内腔を有する円筒部材を備え、
流体を前記送達デバイスの前記内腔へ提供することと、
攪拌デバイスを使用して前記内腔中の前記流体を攪拌することと、
少なくとも部分的に前記円筒部材を囲む外部冷却デバイスを使用して前記内腔中の前記流体を冷却して、前記低温スラリーを生成することと
をさらに含む、項目１に記載の方法。
（項目１６）
前記低温スラリーを送達することが、前記内腔中に少なくとも部分的に配置されたプランジャーを使用して、前記送達デバイスから前記流体を射出することを含む、項目８に記載の方法。
（項目１７）
注射液を含有する第１のコンパートメント、
第２のコンパートメント、および
冷却液を含む第３のコンパートメント
を備えるスラリー生成チャンバを提供することと、
前記冷却液を前記第３のコンパートメントから前記第２のコンパートメントへ放出させて、前記第１のコンパートメント中の前記注射液を囲みかつ冷却して、前記低温スラリーを生成することと
をさらに含む、項目１に記載の方法。
（項目１８）
前記スラリー生成チャンバに攪拌をもたらすことをさらに含む、項目１７に記載の方法。
（項目１９）
前記送達デバイスが注射器であり、
前記低温スラリーを送達することが、前記注射器を前記対象の皮膚に通して貫通させることと、前記注射器を、結合組織に通して前記結合組織の下の脂肪組織へ進ませることと、前記低温スラリーを前記脂肪組織へ送達することとを含む、項目１に記載の方法。
（項目２０）
前記送達デバイスが注射器であり、
前記低温スラリーを送達することが、前記注射器を前記対象の皮膚に通して貫通させることと、前記注射器を前記皮膚の下の前記結合組織まで進ませることと、前記低温スラリーを前記結合組織へ送達することとを含む、項目１に記載の方法。